(57)【要約】【課題】携帯電話端末装置の操作の簡略化を図りながら携帯電話端末装置の現状を容易に認識することが可能であり、誤動作が起こることを少なくできる携帯電話端末装置を提供する。【解決手段】ハードスイッチ２がアダプタ３から引き抜かれると、検出部１２はハードスイッチ２がアダプタ３から引き抜かれたことを検出し、その検出結果を制御部１４に出力する。制御部１４は、ハードスイッチ２がアダプタ３から引き抜かれたことを検出部１２が検出した際に、所定の連絡先の電話番号入力動作と通話開始ボタン１０の操作動作とを実行し、予め設定した連絡先への発信動作を実行する。ハードスイッチ２がアダプタ３に装着されているか否かをユーザーが確認するだけで、携帯電話端末装置１が所望の動作を実行している状態になっているか否かを容易に認識することが可能となる。【選択図】      図２
2004336531.tif 000002
【特許請求の範囲】
【請求項１】
スイッチ部材と、前記スイッチ部材を着脱可能なスイッチ着脱部と、前記スイッチ部材が前記スイッチ着脱部に装着されているか否かを検出する検出部と、前記検出部の検出結果に基づき所望の動作を実行する動作実行部とを含むことを特徴とする携帯電話端末装置。
【請求項２】
請求項１に記載の携帯電話端末装置において、前記スイッチ着脱部から前記スイッチ部材が取り外されたことを前記検出部が検出した際に、または前記スイッチ着脱部に前記スイッチ部材が装着されたことを前記検出部が検出した際に、前記動作実行部は、前記所望の動作を実行することを特徴とする携帯電話端末装置。
【請求項３】
請求項１または２に記載の携帯電話端末装置において、前記動作実行部は、前記所望の動作としての予め設定した連絡先への発信動作を実行することを特徴とする携帯電話端末装置。
【請求項４】
請求項１または２に記載の携帯電話端末装置において、前記動作実行部は、前記所望の動作としての発信を禁止する動作を実行することを特徴とする携帯電話端末装置。
【請求項５】
請求項１または２に記載の携帯電話端末装置において、前記スイッチ部材と異なる発信禁止スイッチ部材をさらに含み、前記動作実行部は、前記スイッチ着脱部から前記発信禁止スイッチ部材が取り外されたことを前記検出部が検出した際には前記所望の動作としての発信を禁止する動作を実行し、前記スイッチ着脱部に前記スイッチ部材が装着されたことを前記検出部が検出した際には前記所望の動作としての発信を許容する動作を実行することを特徴とする携帯電話端末装置。
【請求項６】
請求項１ないし５のいずれかに記載の携帯電話端末装置において、前記所望の動作を設定するための設定部をさらに含むことを特徴とする携帯電話端末装置。
【発明の詳細な説明】
【０００１】
【発明の属する技術分野】
本発明は、携帯電話端末装置に関し、特には、スイッチ部材を着脱することができる携帯電話端末装置に関する。
【０００２】
【従来の技術】
従来の携帯電話端末装置を用いて通話やテレビ電話を開始する場合、ユーザーは、携帯電話端末装置本体を手に持ち、操作ボタンを操作して通話先の電話番号を設定し、相手先の通話開始ボタンを押すという作業を行わなければならない。
【０００３】
しかしながら、従来の携帯電話端末装置には、次のような課題がある。
【０００４】
第１の課題は、操作ボタンが小さいために誤動作を招いたり、お年寄りや身体の不自由な人にとって操作しにくかったりするということである。
【０００５】
第２の課題は、通話を行う際、携帯電話端末装置本体を手で持つ必要性が高いため、手が濡れている場合や、携帯電話端末装置がポケットの中や鞄の中にあり、すぐに取り出しにくい場合に、着信に素早く対応できないということである。
【０００６】
上記課題を解決するものとして、特許文献１（特開２００１−１０１５５８号公報）には、緊急コードを引くことで１１９番に直結する携帯電話機が記載されている。
【０００７】
また、特許文献２（特開２００２−２７０３３号公報）には、携帯電話機に取り付けられるストラップを引くことで通話を開始できる携帯電話機が記載されている。
【０００８】
【特許文献１】
特開２００１−１０１５５８号公報
【特許文献２】
特開２００２−２７０３３号公報
【０００９】
【発明が解決しようとする課題】
しかしながら、特許文献１に記載の携帯電話機および特許文献２に記載の携帯電話機の場合、携帯電話機の外観を見ただけでは、携帯電話機が通話可能な状態であるのか否か判断できないという問題があった。よって、携帯電話機の操作に不慣れな人々がユーザーになった場合、携帯電話機の現在の状態が理解できないことに起因して何度も緊急コードまたはストラップが操作される可能性があり、、この不要な操作が誤動作の原因となる可能性があった。
【００１０】
したがって、特許文献１に記載の携帯電話機および特許文献２に記載の携帯電話機は、携帯電話機の操作に不慣れな人々にとって、必ずしも使い勝手のよいものではなかった。
【００１１】
また、特許文献１に記載の携帯電話機および特許文献２に記載の携帯電話機は、緊急コードやストラップが携帯電話機に取り付けられているので、例えば通話中に誤って緊急コードやストラップを操作してしまい、誤動作の原因になる可能性があった。
【００１２】
本発明の目的は、携帯電話端末装置の操作の簡略化を図りながら携帯電話端末装置の現状を容易に認識することが可能であり、誤動作が起こることを少なくできる携帯電話端末装置を提供することである。
【００１３】
【課題を解決するための手段】
上記目的を達成するために、本発明の携帯電話端末装置は、スイッチ部材がスイッチ着脱部に装着されているか否かを検出する検出部と、検出部の検出結果に基づき、所望の動作を実行する動作実行部とを含むので、所望の動作を簡単に実行可能とするとともに、スイッチ部材がスイッチ着脱部に装着されているか否かをユーザーが確認するだけで、携帯電話端末装置が所望の動作を実行している状態になっているか否かを容易に認識することが可能となる。
【００１４】
また、本発明の携帯電話端末装置は、スイッチ着脱部からスイッチ部材が取り外されたことを検出部が検出した際に、またはスイッチ着脱部にスイッチ部材が装着されたことを検出部が検出した際に、動作実行部が所望の動作を実行するので、上記と同様の効果を奏するとともに、スイッチ部材のスイッチ着脱部への装着タイミングまたはスイッチ部材のスイッチ着脱部から取り外しタイミングに応じて所望の動作を実行させることが可能となる。
【００１５】
また、本発明の携帯電話端末装置は、前記動作実行部が、前記所望の動作としての予め設定した連絡先への発信動作を実行するので、上記の効果に加えて、スイッチ部材を取り外すまたはスイッチ部材を装着するという簡単な操作で、予め設定した連絡先への発信が実行できる。
【００１６】
また、本発明の携帯電話端末装置は、前記動作実行部が、前記所望の動作としての発信を禁止する動作を実行するので、上記の効果に加えて、誤発信の防止と紛失や盗難時のセキュリティの向上を図ることが可能となる。
【００１７】
また、本発明の携帯電話端末装置は、動作実行部は、スイッチ着脱部からスイッチ部材と異なる発信禁止スイッチ部材が取り外されたことを検出部が検出した際には所望の動作としての発信を禁止する動作を実行し、スイッチ着脱部にスイッチ部材が装着されたことを検出部が検出した際には所望の動作としての発信を許容する動作を実行するので、上記の効果に加えて、誤発信の防止と紛失や盗難時のセキュリティの向上を図ることが可能となる。
【００１８】
また、本発明の携帯電話端末装置は、前記所望の動作を設定する設定部をさらに含むので、所望の動作を多種多様にユーザーが設定することが可能となり、ユーザーのニーズに合う使い方を提供可能となる。
【００１９】
【発明の実施の形態】
以下、本発明の実施の形態を図面に示す一実施例に基づき説明する。
【００２０】
図１は、本発明の一実施例の携帯電話端末装置の外観を示した斜視図である。
【００２１】
図１において、携帯電話端末装置１は、バードスイッチ２と、アダプタ３と、アンテナ４と、操作キー５と、携帯電話端末装置の本体６と、マイク部７と、レシーバ８と、表示部９と、通話開始ボタン１０と、通話終了ボタン１１とを含む。
【００２２】
スイッチ部材としてのハードスイッチ２は、アダプタ３に着脱可能である。本実施例では、ハードスイッチ２を絶縁性部材としている。
【００２３】
スイッチ着脱部としてのアダプタ３は、本体６に設けられ、ハードスイッチ２を着脱することができる。具体的には、アダプタ３は、ハードスイッチ２が差し込まれることが可能であり、かつ差し込まれたハードスイッチ２が引き抜かれることが可能である。
【００２４】
アンテナ４は、携帯電話端末装置１と基地局との間で無線信号による通信を行う。
【００２５】
設定部としての操作キー５は、ユーザーの操作に基づき、ハードスイッチ２がアダプタ３から引き抜かれた際に携帯電話端末装置１が実行する所望の動作を設定する。また、操作キー５は、ユーザーの操作に基づき、所望の相手先の電話番号を設定する。
【００２６】
マイク部７は、ユーザーの音声を入力する。レシーバ８は、アンテナ４が受信した信号に応じた音声を出力する。通話開始ボタン１０は、通話を開始するためのボタンである。通話終了ボタン１１は、通話を終了するためのボタンである。
【００２７】
図２は、本発明の一実施例の携帯電話端末装置１を示したブロック回路図である。なお、図２において、図１と同一構成のものには、同一符号を附してある。
【００２８】
図２において、導電性部材のバネ部３ａと導電性部材のバネ受け部３ｂとでアダプタ３を構成する。バネ部３ａは、矢印Ａ方向に付勢されている。
【００２９】
バネ部３ａとバネ受け部３ｂとの間に絶縁性部材のハードスイッチ２が差し込まれると、バネ部３ａとバネ受け部３ｂとが離れ、バネ部３ａの付勢力によりハードスイッチ２がバネ部３ａとバネ受け部３ｂとの間に固定される。また、バネ部３ａとバネ受け部３ｂとの間に差し込まれているハードスイッチ２が引き抜かれるとバネ部３ａとバネ受け部３ｂとが接触する。
【００３０】
ハードスイッチ２はバネ部３ａの付勢力によってアダプタ３に固定されるので、ハードスイッチ２は人の力によってアダプタ３に着脱することが可能である。
【００３１】
検出部１２は、ハードスイッチ２がアダプタ３に装着されているか否かを検出する。具体的には、検出部１２は、バネ部３ａとバネ受け部３ｂとが接触しているか否かを電気的に検出し、その検出結果に基づき、ハードスイッチ２がアダプタ３に装着されているか否かを検出する。
【００３２】
さらに言えば、検出部１２は、バネ部３ａとバネ受け部３ｂとが非接触である場合、ハードスイッチ２がアダプタ３に装着されていると判断し、バネ部３ａとバネ受け部３ｂとが接触している場合、ハードスイッチ２がアダプタ３から取り外されていると判断する。
【００３３】
送受話部１３は、通話開始ボタン１０が操作されて通話開始状態になっている間、マイク部７から入力されるユーザーの音声に基づいた信号をアンテナ４を介して基地局に送信するとともにアンテナ４で受信した信号に基づいた音声情報をレシーバ８に出力してレシーバ８から音声を出力させる。
【００３４】
動作実行部としての制御部１４は、検出部１２の検出結果に基づき、所望の動作を実行する。具体的には、制御部１４は、検出部１２の検出結果に基づき、メモリ１４ａに予め記録された所望の動作を実行する。
【００３５】
本実施例では、所望の動作として、所定の連絡先への発信動作が、制御部１４のメモリ１４ａに記録されているものとする。具体的には、操作キー５による所定の連絡先の電話番号入力動作と通話開始ボタン１０の操作動作とが、所望の動作として制御部１４のメモリ１４ａに記録されているものとする。
【００３６】
また、本実施例の制御部１４は、ハードスイッチ２がアダプタ３から引き抜かれたことを検出部１２が検出した際に、メモリ１４ａに予め記録された所望の動作を実行する。
【００３７】
次に、動作を説明する。
【００３８】
ハードスイッチ２がアダプタ３に装着されている携帯電話端末装置１において、ハードスイッチ２がアダプタ３から引き抜かれると、検出部１２はハードスイッチ２がアダプタ３から引き抜かれたことを検出し、その検出結果を制御部１４に出力する。
【００３９】
制御部１４は、ハードスイッチ２がアダプタ３から引き抜かれたことを検出部１２が検出した際に、所定の連絡先の電話番号入力動作と通話開始ボタン１０の操作動作とを実行し、予め設定した連絡先への発信動作を実行する。
【００４０】
本実施例は、ハードスイッチ２がアダプタ３から引き抜かれることで予め設定した連絡先への発信動作を実行するので、操作キー５による所定の連絡先の電話番号入力動作と通話開始ボタン１０の操作動作という細かい操作をせずに通話を開始することが可能となる。
【００４１】
また、携帯電話端末装置１がテレビ電話に対応している場合、ハードスイッチ２がアダプタ３から引き抜かれることで予め設定した連絡先との間でテレビ電話を開始することが可能となる。
【００４２】
したがって、子供やお年寄りなど細かい作業ができないユーザーでも簡単に使用することが可能となる。
【００４３】
また、ハードスイッチ２がアダプタ３に装着されているか否かをユーザーが確認するだけで、携帯電話端末装置１が所定の状態（所望の動作を実行している状態）になっているか否かを容易に認識することが可能となる。したがって、携帯電話端末装置１が所定の状態になっているか否かユーザーが判断できずに、種々の操作がなされて誤動作してしまうことを防止することが可能となる。
【００４４】
なお、本実施例の携帯電話端末装置１は、ユーザーが発信を意図しない動作に基づき発信できる。
【００４５】
例えば、携帯電話端末装置１を部屋のドアと異なる箇所に固定するとともにハードスイッチ２を部屋のドアに固定した紐に固定し、部屋のドアが開く際にハードスイッチ２がアダプタ３から外れるようにすれば、不在時の防犯装置として使用することが可能となる。
【００４６】
この場合、携帯電話端末装置１としてカメラ付きの携帯電話端末装置を用い、所望の動作としてカメラによる撮像動作が設定してあれば、カメラ付きの携帯電話端末装置を防犯カメラとして使用することが可能となる。
【００４７】
別の例としては、携帯電話端末装置１を所定の場所に固定するとともにハードスイッチ２を子供に固定した紐に固定し、子供が安全なところから離れてしまうとハードスイッチ２がアダプタ３から外れ、自分の携帯電話端末装置に着信がなされるようにすれば、子供の安全確認装置として使用することが可能となる。
【００４８】
次に、本発明の他の実施例を説明する。
【００４９】
なお、この実施例の構成は、図２に示したものとほぼ同様である。この実施例の場合、図１および図２に示したハードスイッチ２と形状が同じであるが抵抗値が異なるスイッチ部材としての発信禁止スイッチ２ａを用いる。
【００５０】
制御部１４は、アダプタ３から発信禁止スイッチ２ａが取り外されたことを検出部１２が検出した際に所望の動作として発信を禁止する動作を実行する。さらに、制御部１４は、アダプタ３にハードスイッチ２が装着されたことを検出部１２が検出した際に所望の動作として発信を許容する動作を実行する。
【００５１】
なお、検出部１２は、アダプタ３に発信禁止スイッチ２ａが装着されたこととアダプタ３にハードスイッチ２が装着されたこととの判別を、バネ部３ａとバネ受け部３ｂとの間の抵抗値の違いに基づき判別する。具体的には、検出部１２は、バネ部３ａとバネ受け部３ｂとを含む回路を流れる電流の値に基づき、アダプタ３に発信禁止スイッチ２ａが装着されたこととアダプタ３にハードスイッチ２が装着されたこととの判別を行う。
【００５２】
次に、動作を説明する。
【００５３】
発信禁止スイッチ２ａがアダプタ３に差し込まれたことを検出部１２が検出すると、制御部１４は発信を禁止する動作を実行し、携帯電話端末装置１は以後通話開始ボタン１０が押されても発信を行わない。制御部１４は、ハードスイッチ２がアダプタ３に差し込まれたことを検出部１２が検出すると発信を許容する動作を実行し、発信禁止状態からぬける。
【００５４】
本実施例によれば、上記の効果に加えて、誤発信の防止や紛失、盗難時のセキュリティの向上といった効果が得られる。
【００５５】
次に、本発明のさらに他の実施例を説明する。
【００５６】
この実施例の構成は、図２に示したものと同様である。本実施例では、ハードスイッチ２をアダプタ３から引き抜いたときの動作が、操作キー５をユーザーが操作することによりユーザーにより設定可能とする。
【００５７】
通話終了や本体電源オフ、カメラ付き端末電話端末装置であれば画像撮影というように、予め所望の動作として設定可能な動作を表示部９で表示するメニュー画面中に用意しておき、このメニュー画面に表示された動作の中から操作キー５を用いて所望の動作を選択することにより、所望の動作をユーザーの好みに合わせて設定できる。
【００５８】
例えば、所望の動作として設定可能な複数の動作を予めメモリ１４ａに記憶しておき、その中から操作キー５により選択された動作を、ハードスイッチ２をアダプタ３から引き抜くで行う所望の動作として制御部１４が実行するようにすればよい。
【００５９】
本実施例によれば、上記の効果に加えて、所望の動作としてユーザーのニーズに合った多種多様な動作を設定可能となる。
【００６０】
次に、本発明のさらに他の実施例を説明する。
【００６１】
本実施例は、携帯電話端末装置１がいわゆる折り畳みタイプである場合の例である。
【００６２】
図３は、本実施例の折り畳み携帯電話端末装置１５の外観、特には、折り畳み携帯電話端末装置１５が折り畳まれた状態の外観を示した斜視図である。なお、図３において、図１と同一構成のものには同一符号を附してある。
【００６３】
図３において、折り畳み携帯電話端末装置１５は携帯電話端末装置１と同様にハードスイッチ２とアダプタ３を含む。本実施例は、折り畳み携帯電話端末装置１５が折り畳まれた状態でも、マイク部７と、レシーバ８と、表示部９と、カメラ１６とが折り畳み携帯電話端末装置１５の外面に位置するように設置してある。
【００６４】
なお、マイク部７と、レシーバ８と、表示部９およびカメラ１６の位置は、図３に示した位置に限るものではなく、これらを折り畳み携帯電話端末装置１５が折り畳まれた状態でも使えるような位置に配置してあればよい。
【００６５】
本実施例では、マイク部７とレシーバ８と表示部９およびカメラ１６が、折り畳み携帯電話端末装置１５が折り畳まれた状態でも使えるような位置に配置してあるので、マイク部、レシーバ、表示部、カメラ等の通話に必要な要素が外面になく、その結果本発明の効果が十分に発揮できなくなることを防止できる。
【００６６】
本実施例によれば、折り畳みタイプの携帯電話端末装置でも、ハードスイッチ２をアダプタ３から抜くという１つの動作で通話が開始できるという効果が得られる。また、折り畳みタイプの携帯電話端末装置でも、ハードスイッチ２がアダプタ３に装着されているか否かをユーザーが確認するだけで、携帯電話端末装置１が所定の状態（所望の動作を実行している状態）になっているか否かを容易に認識することが可能となる。
【００６７】
なお、図３では折り畳み携帯電話端末装置としてカメラ付きの折り畳み携帯電話端末装置の例を示しているが、折り畳み携帯電話端末装置はカメラを有していないものでもよい。
【００６８】
以上説明した各実施例において、図示した構成は単なる一例であって、本発明はその構成に限定されるものではない。
【００６９】
例えば、ハードスイッチ２がアダプタ３から引き抜かれたことを検出部１２が検出した際に、制御部１４が所望の動作を実行するようにした点を、ハードスイッチ２がアダプタ３に差し込まれたことを検出部１２が検出した際に、制御部１４が所望の動作を実行するようにしてもよい。
【００７０】
【発明の効果】
本発明は、スイッチ部材がスイッチ着脱部に装着されているか否かを検出する検出部と、検出部の検出結果に基づき、所望の動作を実行する動作実行部とを含むので、所望の動作を簡単に実行可能とするとともに、スイッチ部材がスイッチ着脱部に装着されているか否かをユーザーが確認するだけで、携帯電話端末装置が所望の動作を実行している状態になっているか否かを容易に認識することが可能となる。
【図面の簡単な説明】
【図１】本発明の一実施例の携帯電話端末装置の外観を示した説明図である。
【図２】図１に示した携帯電話端末装置を示したブロック図である。
【図３】本発明の他の実施例の携帯電話端末装置の外観を示した説明図である。
【符号の説明】
１      携帯電話端末装置
２      ハードスイッチ
２ａ    発信禁止スイッチ
３      アダプタ
３ａ    バネ部
３ｂ    バネ受け部
４      アンテナ
５      操作キー
６      本体
７      マイク部
８      レシーバ
９      表示部
１０      通話開始ボタン
１１      通話終了ボタン
１２      検出部
１３      送受話部
１４      制御部
１４ａ    メモリ
【図１】
2004336531.tif 000003
【図２】
2004336531.tif 000004
【図３】
2004336531.tif 000005